(57)【要約】【課題】トリアージタグの標識部の切り離し又は折り曲げについての変更を示す情報を適切に生成することが可能なコンピュータ装置を提供する。【解決手段】コンピュータ装置は、電子ペンがトリアージタグに形成されたコード化パターンを読み取って生成した記入情報を受信する受信手段と、標識部の一部が切り離された又は折り曲げられたトリアージタグの標識部への電子ペンによる記入に対応する記入情報に基づいて、標識部の一部の切り離し又は折り曲げについての変更を示す変更情報を生成する情報生成手段と、を備える。【選択図】図７
2014222469.tif 000002
【特許請求の範囲】
【請求項１】
電子ペンがトリアージタグに形成されたコード化パターンを読み取って生成した記入情報を受信する受信手段と、
標識部の一部が切り離された又は折り曲げられたトリアージタグの標識部への前記電子ペンによる記入に対応する記入情報に基づいて、前記標識部の一部の切り離し又は折り曲げについての変更を示す変更情報を生成する情報生成手段と、
を備えることを特徴とするコンピュータ装置。
【請求項２】
前記情報生成手段は、傷病者の重症度が変わったことを示す第１情報、若しくは、前記標識部の一部の切り離し又は折り曲げが間違いであったことを示す第２情報を、前記変更情報として生成することを特徴とする請求項１に記載のコンピュータ装置。
【請求項３】
前記情報生成手段は、前記電子ペンによって前記トリアージタグの標識部に記入された文字を文字認識することで、前記第１情報若しくは前記第２情報を前記変更情報として生成することを特徴とする請求項２に記載のコンピュータ装置。
【請求項４】
前記情報生成手段は、切り離された又は折り曲げられた前記標識部の一部に跨る手書きストロークが前記電子ペンで記入された場合に、前記変更情報を生成することを特徴とする請求項１〜３のいずれか一項に記載のコンピュータ装置。
【請求項５】
前記情報生成手段は、前記電子ペンによって前記トリアージタグの標識部に記入がなされた日時を含む変更情報を生成することを特徴とする請求項１〜４のいずれか一項に記載のコンピュータ装置。
【請求項６】
請求項１〜５のいずれか一項に記載のコンピュータ装置としてコンピュータを機能させることを特徴とするプログラム。
【請求項７】
一部が切り離された又は折り曲げられたトリアージタグの標識部を戻す第１ステップと、
前記第１ステップで戻した部分に跨るように電子ペンで手書きストロークを記入する第２ステップと、
前記第２ステップで手書きストロークが記入された際に、前記電子ペンが前記トリアージタグに形成されたコード化パターンを読み取って生成した記入情報をコンピュータ装置に送信する第３ステップと、
を備えることを特徴とする情報処理方法。
【請求項８】
前記第３ステップで送信された記入情報に基づいて、前記コンピュータ装置が、前記標識部の一部の切り離し又は折り曲げについての変更を示す変更情報を生成する第４ステップを更に備えることを特徴とする請求項７に記載の情報処理方法。
【発明の詳細な説明】
【技術分野】
【０００１】
本発明は、救急医療を支援するための技術分野に関する。
【背景技術】
【０００２】
従来から、記入した情報を電子化する電子ペン（デジタルペン）が開発されており、その代表的なものとしてスウェーデンのＡｎｏｔｏ社が開発した「アノトペン（Ａｎｏｔｏ  ｐｅｎ）」が知られている。例えば、特許文献１には、アノトペンが、用紙に印刷された所定のドットパターンを読み取って記入情報を生成し、当該記入情報を端末装置に送信することが記載されている。また、特許文献２には、ドットパターンに対向する電子ペンの角度に起因するドットの画像上の配列を補正する回転補正処理機能が記載されている。
【０００３】
また、近年、地震や台風やテロ等による大規模災害時の対応システムに、トリアージタグと呼ばれる治療優先度を示す標識タグが用いられている。このようなトリアージタグにドットパターンを形成し、電子ペンを利用して、トリアージタグに記入された内容を電子データ化する技術が提案されている（例えば特許文献３、４、及び非特許文献１参照）。
【先行技術文献】
【特許文献】
【０００４】
【特許文献１】特許第３８７２４９８号公報
【特許文献２】特表２００３−５２９８５３号公報
【特許文献３】特開２００９−２１７４４９号公報
【特許文献４】特開２００９−１８７１７０号公報
【非特許文献】
【０００５】
【非特許文献１】広島大学病院ホームページ＞お知らせ−記事詳細＞新しいトリアージタッグシステムを用いた災害医療救護訓練を行いました、［平成２５年４月２３日検索］、インターネット＜ＵＲＬ：http://www.hiroshima-u.ac.jp/news/show/id/15355/＞
【発明の概要】
【発明が解決しようとする課題】
【０００６】
ところで、トリアージタグは、一般的に、重症度（トリアージ区分）により色分けされ、傷病者の傷病の程度に応じて切り離される標識部を有するが、そのような標識部を切り離した後に、傷病者の回復により重症度を変更したい場合や、誤って切り離した標識部を戻したい場合がある。そのような場合に、電子ペンによるトリアージタグへの記入に基づいて、傷病者の重症度が変わったことや標識部の切り離しが間違いであったことなどがデータ上で分かれば便宜である。
【０００７】
そこで、本発明は、トリアージタグの標識部の切り離し又は折り曲げについての変更を示す情報を適切に生成することが可能なコンピュータ装置などを提供することを主な目的とする。
【課題を解決するための手段】
【０００８】
本発明の１つの観点では、コンピュータ装置は、電子ペンがトリアージタグに形成されたコード化パターンを読み取って生成した記入情報を受信する受信手段と、標識部の一部が切り離された又は折り曲げられたトリアージタグの標識部への前記電子ペンによる記入に対応する記入情報に基づいて、前記標識部の一部の切り離し又は折り曲げについての変更を示す変更情報を生成する情報生成手段と、を備える。
【０００９】
上記のコンピュータ装置によれば、トリアージタグにおける標識部の一部の切り離し又は折り曲げについての変更を示す変更情報を適切に生成することができる。これにより、標識部の一部の切り離し又は折り曲げについての変更があったことを適切に管理することが可能となる。なお、変更情報は、トリアージタグの利用者からの、切り離した又は折り曲げた標識部を元に戻したいという意図を反映した情報である。
【００１０】
上記のコンピュータ装置の一態様では、前記情報生成手段は、傷病者の重症度が変わったことを示す第１情報、若しくは、前記標識部の一部の切り離し又は折り曲げが間違いであったことを示す第２情報を、前記変更情報として生成しても良い。これにより、傷病者の重症度が変わったことや標識部の切り離しが間違いであったことを適切に管理することが可能となる。
【００１１】
上記のコンピュータ装置において好適には、前記情報生成手段は、前記電子ペンによって前記トリアージタグの標識部に記入された文字を文字認識することで、前記第１情報若しくは前記第２情報を前記変更情報として生成すると良い。
【００１２】
上記のコンピュータ装置の他の一態様では、前記情報生成手段は、切り離された又は折り曲げられた前記標識部の一部に跨る手書きストロークが前記電子ペンで記入された場合に、前記変更情報を生成しても良い。これにより、トリアージタグの利用者が誤って電子ペンで標識部に記入した場合に変更情報が生成されてしまうことを適切に抑制することができる。
【００１３】
上記のコンピュータ装置の他の一態様では、前記情報生成手段は、前記電子ペンによって前記トリアージタグの標識部に記入がなされた日時を含む変更情報を生成しても良い。これにより、標識部の一部の切り離し又は折り曲げについての変更があった日時を適切に管理することができる。
【００１４】
本発明の他の観点では、プログラムは、上記コンピュータ装置としてコンピュータを機能させる。当該プログラムを実行することにより、上記のコンピュータ装置を実現することができる。
本発明の更に他の観点では、情報処理方法は、一部が切り離された又は折り曲げられたトリアージタグの標識部を戻す第１ステップと、前記第１ステップで戻した部分に跨るように電子ペンで手書きストロークを記入する第２ステップと、前記第２ステップで手書きストロークが記入された際に、前記電子ペンが前記トリアージタグに形成されたコード化パターンを読み取って生成した記入情報をコンピュータ装置に送信する第３ステップと、を備えていても良い。また、情報処理方法は、前記第３ステップで送信された記入情報に基づいて、前記コンピュータ装置が、前記標識部の一部の切り離し又は折り曲げについての変更を示す変更情報を生成する第４ステップを更に備えていても良い。
【発明の効果】
【００１５】
本発明によれば、トリアージタグにおける標識部の一部の切り離し又は折り曲げについての変更を示す変更情報を適切に生成することができる。
【図面の簡単な説明】
【００１６】
【図１】本実施形態に係る救急医療支援システムのシステム構成図である。
【図２】第１実施形態に係るトリアージタグを示す。
【図３】ドットパターンにおけるドットの配置と変換される値との関係を示す説明図である。
【図４】（ａ）はドットパターンを模式的に示し、（ｂ）はそれに対応する情報の例を示す図である。
【図５】電子ペンの構造を示す概略図である。
【図６】サーバ装置の機能ブロック図である。
【図７】第１実施形態における変更情報の生成方法の具体例を説明するための図である。
【図８】第２実施形態に係るトリアージタグを示す。
【図９】第２実施形態に係るトリアージタグの標識部が折り曲げられる様子を示す図である。
【図１０】第２実施形態における変更情報の生成方法の具体例を説明するための図である。
【発明を実施するための形態】
【００１７】
以下、図面を参照しながら、本発明の実施の形態について説明する。
【００１８】
＜第１実施形態＞
まず、本発明の第１実施形態について説明する。
【００１９】
［救急医療支援システムの構成］
図１は、本実施形態に係る救急医療支援システム１０のシステム構成図である。図１に示すように、救急医療支援システム１０は、電子ペン１ａ、１ｂ、１ｃ（１）と、トリアージタグ２と、携帯端末３ａ、３ｂ、３ｃ（３）と、サーバ装置４と、コンピュータ装置５、６とを有する。
【００２０】
電子ペン１ａ及び携帯端末３ａは災害や事故などの現場で使用され、電子ペン１ｂ及び携帯端末３ｂは搬送機関（救急車など）で使用され、電子ペン１ｃ及び携帯端末３ｃは医療機関で使用される。図１では、電子ペン１ａ〜１ｃを１本のみ示しているが、実際には電子ペン１ａ〜１ｃはそれぞれ複数本用意される。コンピュータ装置５は、消防関連機関（消防本部や消防署など）で使用され、コンピュータ装置６は、医療機関で使用される。コンピュータ装置５、６は、ネットワーク（例えばインターネット）を介してサーバ装置４に接続される。
【００２１】
トリアージタグ２は、傷病者の緊急度や重症度に応じて適切な処置や搬送を行うべく、傷病者の治療優先度を決定するために利用され、電子ペン１により読み取り可能なドットパターン（コード化パターン）が印刷されている。電子ペン１は、トリアージタグ２への記入に対応する記入情報を、Ｂｌｕｅｔｏｏｔｈ（登録商標）等の無線通信方式で携帯端末３に送信する。なお、電子ペン１ａ、１ｂ、１ｃは、互いに異なるペンＩＤ（ペン識別情報）を有している。
【００２２】
携帯端末３は、電子ペン１から受信した記入情報を、携帯電話通信網（例えばＩＰパケット通信）やインターネット通信網などのネットワークを介してサーバ装置４に送信する。例えば、携帯端末３は、スマートフォンである。サーバ装置４は、携帯端末３から受信した記入情報に応じた情報を生成し、生成した情報をコンピュータ装置５、６に送信する。例えば、サーバ装置４は、消防関連機関ないし医療機関、あるいは双方に設けられる。
【００２３】
ここで、トリアージタグ２は、傷病者に取り付けられることで、傷病者と共に現場から搬送機関を介して医療機関に移動され、このような過程において電子ペン１による記入がなされる。基本的には、まず最初に現場にて電子ペン１ａによってトリアージタグ２への記入がなされ、その後に搬送機関による搬送中に電子ペン１ｂによってトリアージタグ２への記入がなされ、最後に医療機関にて電子ペン１ｃによってトリアージタグ２への記入がなされる。
【００２４】
サーバ装置４は、現場から医療機関に収容される過程において電子ペン１によって生成された記入情報を適宜受信して、トリアージタグ２に電子ペン１で記入された内容に関する情報を生成して管理する。また、サーバ装置４は、そのような情報をコンピュータ装置５、６に送信する。
【００２５】
［トリアージタグ］
図２を参照して、第１実施形態に係るトリアージタグ２について説明する。なお、「トリアージ」とは、大事故や災害時のように多数の傷病者が同時に発生した場合、限られた救急医療条件で最大限の救命を行えるように、傷病者の緊急度や重症度に応じて適切な処置や搬送を行うため、傷病者の治療優先度（トリアージ区分）を設定することを意味する。
【００２６】
図２に示すように、トリアージタグ２には、トリアージタグ２ごとに異なる識別番号が印刷された識別番号エリア２ａと、傷病者の氏名を記入するための氏名記入欄２ｂと、傷病者の性別を選択するための性別選択欄２ｃと、傷病者の電話番号を記入するための電話番号記入欄２ｄと、傷病者の年齢を記入するための年齢記入欄２ｅと、傷病者の住所を記入するための住所記入欄２ｆと、傷病者に対するトリアージを実施した月日（日付）及び時刻を記入するためのトリアージ実施月日・時刻記入欄２ｇと、トリアージの実施者を記入するための実施者記入欄２ｈと、搬送機関の名称を記入するための搬送機関名記入欄２ｉと、傷病者を収容する医療機関の名称を記入するための収容医療機関名記入欄２ｊと、メモなどを記入するための備考欄２ｋと、トリアージ区分を選択するためのトリアージ区分選択欄２ｍと、電子ペン１によって生成された記入情報を送信するための送信ボックス２ｎと、標識部２ｐとが設けられている。
【００２７】
トリアージタグ２には、略全面に、位置座標を示すアノト方式のドットパターン（コード化パターン）が印刷されている。ドットパターンは、赤外線を吸収するカーボンを含んだインキにより印刷され、文字や枠線などは、赤外域に吸収性を持たないインキにより印刷される。なお、トリアージタグ２を区別するために、トリアージタグ２ごとに異なる座標範囲のドットパターンが印刷されている。
【００２８】
トリアージ区分選択欄２ｍ及び標識部２ｐにおいて、「０」のトリアージ区分は死亡群を示しており、「I」のトリアージ区分は重症群を示しており、「II」のトリアージ区分は中等症群を示しており、「III」のトリアージ区分は軽症群を示している。
【００２９】
また、標識部２ｐは、一瞥して傷病の状態を認識できるようにトリアージ区分により色分けされている。標識部２ｐは、「０」と印字された死亡群を示す黒色ラベル２ｐ０、「I」と印字された重症群を示す赤色ラベル２ｐ１、「II」と印字された中等症群を示す黄色ラベル２ｐ２、及び「III」と印字された軽症群を示す緑色ラベル２ｐ３の４つから構成されており、各ラベル２ｐ０〜２ｐ３の境界に形成された破線（ミシン目）で切り離しできるように加工されている。トリアージタグ２の利用者は、傷病者のトリアージ区分に該当するラベルを残して、標識部２ｐを切り離すことで、傷病者の症状を示す識別票として使用する。例えば、傷病者の症状が「I」の重症群であると判断される場合は、赤色ラベル２ｐ１を残して黄色ラベル２ｐ２及び緑色ラベル２ｐ３を切り離すこととなる。なお、以下では、黒色ラベル２ｐ０、赤色ラベル２ｐ１、黄色ラベル２ｐ２及び緑色ラベル２ｐ３を区別しない場合には、色及び符号の表記を省略して、単に「ラベル」と表記することがある。
【００３０】
送信ボックス２ｎは、トリアージタグ２に電子ペン１により記入された内容に対応する記入情報を、電子ペン１から携帯端末３を経由してサーバ装置４へ送信する処理を実行させるための指示が定義されたエリアである。例えば、送信ボックス２ｎは、トリアージが実施された後に電子ペン１によってタップされる。なお、トリアージタグ２が異なっても、送信ボックス２ｎのドットパターンはトリアージタグ２に共通して同じであっても良い。
【００３１】
［ドットパターン］
次に、図３及び図４を参照しながら、トリアージタグ２に印刷されたアノト方式のドットパターン（コード化パターン）について説明する。図３は、トリアージタグ２に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、トリアージタグ２上の位置座標が決定されるように構成されている。
【００３２】
図４（ａ）は、あるドットパターンの配列を示している。図４（ａ）に示すように、縦横約２ｍｍの範囲内に６×６個のドットが、トリアージタグ２上のどの部分から６×６ドットを取っても、ユニークなパターンとなるように配置されている。これら３６個のドットにより形成されるドットパターンは位置座標（例えば、そのドットパターンがトリアージタグ２上のどの位置にあるのか）を保持している。図４（ｂ）は、図４（ａ）に示す各ドットを、格子の基準位置からのシフト方向によって、図３に示す規則性に基づいて、対応づけられた値に変換したものである。この変換は、ドットパターンの画像を撮影する電子ペン１によって行われる。
【００３３】
［電子ペン］
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端はペン先部１０３となっており、利用者は、電子ペン１のペン先部１０３をトリアージタグ２に当接させて、トリアージタグ２にストローク（手書きストローク）を記入したり、電子ペン１のペン先部１０３をトリアージタグ２に当接させて、タップ（ペン先部１０３によるトリアージタグ２への軽叩）したりする。インクカートリッジ１０４のインクは、赤外線を吸収する材料（例えばカーボン）を含まないようにする。ここで、電子ペン１のペン先部１０３がトリアージタグ２に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００３４】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、利用者が電子ペン１によりトリアージタグ２に手書きストロークを記入したりタップしたりする際にペン先部１０３からインクカートリッジ１０４を通じて与えられる圧力、即ち筆圧を検出し、その値をプロセッサ１０８へ伝送する。
【００３５】
プロセッサ１０８は、圧力センサ１０７から与えられる筆圧データに基づいて、ＬＥＤ１０５及びＣＭＯＳカメラ１０６のスイッチのオン／オフを切替える。即ち、利用者が電子ペン１によりトリアージタグ２に手書きストロークを記入したりタップしたりすると、ペン先部１０３に筆圧がかかり、圧力センサ１０７によって所定値以上の筆圧が検出されたときに、プロセッサ１０８は、利用者が記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてメモリ１０９に記憶する。また、利用者が１つのストロークを記入中は、後述のように、プロセッサ１０８は、リアルタイムクロック１１０から発信される現在時刻（タイムスタンプ：記入された時刻情報）、筆圧データ及びＸ、Ｙ座標データを関連付けて、メモリ１０９に記憶する。利用者が１つのストロークを記入し終えて電子ペン１をトリアージタグ２から離すと、圧力センサ１０７は、所定値以上の筆圧が検出されなくなることでペンアップを検出する。すると、プロセッサ１０８は、圧力センサ１０７により検出されたペンアップ情報とペンＩＤとを関連付けて、記入情報としてメモリ１０９に記憶する。そして、プロセッサ１０８は、電子ペン１によってトリアージタグ２の送信ボックス２ｎがタップされた際に、その送信ボックス２ｎのドットパターンから送信指示を認識して、メモリ１０９に記憶した記入情報を、通信ユニット１１１によって携帯端末３へ送信させる。プロセッサ１０８は、携帯端末３へ送信させた記入情報を適時に消去する。
【００３６】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、トリアージタグ２上のペン先部１０３近傍に向けて赤外線を照明する。その領域は、ペン先部１０３がトリアージタグ２に接触する位置とはわずかにずれている。ＣＭＯＳカメラ１０６は、赤外線を透過し赤外線以外を遮断する赤外線透過フィルタが設けられており、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、トリアージタグ２に文字や枠線などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３７】
プロセッサ１０８は、利用者による記入が行われる間、ＣＭＯＳカメラ１０６によって供給される画像データのドットパターンから、利用者が記入するストローク（筆跡）のトリアージタグ２上におけるＸ、Ｙ座標（以後、単に「位置座標」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際、その機能を発揮させる。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。また、プロセッサ１０８は、演算した位置座標がトリアージタグ２の送信ボックス２ｎのドットパターンを示す場合、送信指示と認識して、通信ユニット１１１に記入情報を携帯端末３へ送信させる。なお、トリアージタグ２における６×６のドットパターンは、トリアージタグ２内で重複することはないため、利用者が電子ペン１で文字等を記入すると、記入された位置がトリアージタグ２のどの位置に当たるかを、プロセッサ１０８による座標演算により特定することができる。
【００３８】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として、携帯端末３を介してサーバ装置４へ送信する。通信ユニット１１１による携帯端末３への送信は、Ｂｌｕｅｔｏｏｔｈ（登録商標）などの無線送信によって、即時的かつ逐次的に行われる。ここで、電子ペン１のペンダウンからペンアップまでの間に生成されて送信された１個又は複数個の座標属性情報は、携帯端末３及びサーバ装置４によりストローク情報として記憶される。換言すると、１つのストロークは、１個又は複数個のＸ、Ｙ座標（座標点）からなり、携帯端末３及びサーバ装置４は、ペンダウン情報及びペンアップ情報によって、１つのストロークを構成する１個又は複数個の座標属性情報を認識する。
【００３９】
［サーバ装置］
次に、サーバ装置４について説明する。サーバ装置４は、ハードウェアとして、ＣＰＵ等のプロセッサ、ＲＯＭやＲＡＭといったメモリ等で構成される。図６は、サーバ装置４の機能ブロック図である。サーバ装置４は、機能的には、処理手段４４、記憶手段４５、通信手段４７及び通信インターフェース４８を備える。なお、サーバ装置４は、本発明における「コンピュータ装置」の一例に相当する。
【００４０】
通信手段４７は、携帯電話網（例えばＩＰパケット通信）やインターネットなどのネットワークを介して携帯端末３と通信を行う。通信手段４７は、電子ペン１によって生成された記入情報を携帯端末３から受信する。なお、通信手段４７は、本発明における「受信手段」の一例に相当する。
【００４１】
通信インターフェース４８は、ネットワーク（インターネットなど）を介して、消防関連機関で使用されるコンピュータ装置５及び医療機関で使用されるコンピュータ装置６に接続する。そして、通信インターフェース４８は、後述する処理手段４４によって生成された情報をコンピュータ装置５、６に送信する。
【００４２】
記憶手段４５は、ＲＯＭ、ＲＡＭといったメモリによって構成され、処理手段４４の指示により、プログラムの実行により生成される各種情報を記憶する。記憶手段４５は、トリアージタグ２に印刷されたドットパターンの座標範囲に関する座標定義情報を記憶している。具体的には、記憶手段４５は、複数のトリアージタグ２に割り当てられたドットパターンの座標範囲を、各トリアージタグ２に対応付けて記憶する。例えば、トリアージタグ２の識別番号（識別番号エリア２ａに印刷された、トリアージタグ２ごとに異なる番号）に対応付けて、各トリアージタグ２に割り当てられたドットパターンの座標範囲を記憶する。また、記憶手段４５は、トリアージタグ２に設けられた各エリア（具体的には、識別番号エリア２ａ、氏名記入欄２ｂ、性別選択欄２ｃ、電話番号記入欄２ｄ、年齢記入欄２ｅ、住所記入欄２ｆ、トリアージ実施月日・時刻記入欄２ｇ、実施者記入欄２ｈ、搬送機関名記入欄２ｉ、収容医療機関名記入欄２ｊ、備考欄２ｋ、トリアージ区分選択欄２ｍ、送信ボックス２ｎ、標識部２ｐにおけるラベル２ｐ０〜２ｐ３、の全て又は一部）に対応付けて、各エリアに割り当てられたドットパターンの座標範囲を記憶する。
【００４３】
また、記憶手段４５は、処理手段４４の処理命令により、携帯端末３を介して電子ペン１から受信した記入情報をペンＩＤ毎に記憶し、さらに、処理手段４４の指示により、記憶領域を確保して、ペンダウンからペンアップまでの記入情報に含まれる座標属性情報をストローク情報としてペンＩＤ毎に記憶する。上記以外にも、記憶手段４５は、処理手段４４の指示により、プログラムの実行により生成される各種情報を記憶する。
【００４４】
処理手段４４は、ＣＰＵ等のプロセッサによって構成され、サーバ装置４の全体の制御を行う。処理手段４４は、機能的には、情報生成手段４４１を有する。
【００４５】
情報生成手段４４１は、通信手段４７によって受信された記入情報に基づいて、電子ペン１でトリアージタグ２に記入された内容に関する情報（以下では「トリアージ記入情報」と呼ぶ。）を生成する。具体的には、トリアージ記入情報は、傷病者の氏名や、年齢や、性別や、トリアージ実施月日・時刻や、トリアージ区分や、搬送機関名や、収容医療機関名などを含む情報である。
【００４６】
上記のようなトリアージ記入情報を生成する場合、情報生成手段４４１は以下のような処理を行う。情報生成手段４４１は、トリアージタグ２の氏名記入欄２ｂ及び年齢記入欄２ｅに電子ペン１で記入された手書きストロークに対して文字認識処理を行うことで、傷病者の氏名及び年齢についての情報を生成する。また、情報生成手段４４１は、トリアージタグ２の性別選択欄２ｃにて電子ペン１により選択された性別を特定することで、傷病者の性別についての情報を生成する。また、情報生成手段４４１は、例えばトリアージタグ２のトリアージ区分選択欄２ｍへの記入に対応する記入情報に含まれる時刻情報に基づいて、トリアージ実施月日・時刻についての情報を生成する。また、情報生成手段４４１は、トリアージタグ２のトリアージ区分選択欄２ｍ又は標識部２ｐへの電子ペン１による記入（タップ）に対応する記入情報に基づいて、トリアージ区分についての情報（つまり傷病者の症状の程度が「I」「II」、「III」のいずれの区分に該当するかを示す情報）を生成する。この場合、情報生成手段４４１は、電子ペン１によってトリアージ区分選択欄２ｍ又は標識部２ｐに記入（タップ）されるごとに、トリアージ区分についての情報を更新する。また、情報生成手段４４１は、例えばトリアージタグ２の搬送機関名記入欄２ｉ及び収容医療機関名記入欄２ｊに電子ペン１で記入された手書きストロークに対して文字認識処理を行うことで、搬送機関名及び収容医療機関名についての情報を生成する。
【００４７】
また、情報生成手段４４１は、標識部２ｐの一部（ラベル２ｐ１〜２ｐ３のいずれかを意味する。以下同様とする。）が切り離されたトリアージタグ２の標識部２ｐへの電子ペン１による記入に対応する記入情報に基づいて、標識部２ｐの一部の切り離しについての変更を示す変更情報を生成する。この変更情報は、トリアージタグ２の利用者からの、切り離した標識部２ｐを元に戻したいという意図を反映した情報である。なお、情報生成手段４４１は、上記したトリアージ記入情報の１つとして変更情報を生成する。
【００４８】
具体的には、情報生成手段４４１は、切り離された標識部２ｐの一部に跨る手書きストロークが電子ペン１で記入された場合に、変更情報を生成する。より詳しくは、情報生成手段４４１は、記憶手段４５に記憶された、標識部２ｐのラベル２ｐ０〜２ｐ３のそれぞれに割り当てられたドットパターンの座標範囲に基づいて、標識部２ｐへの電子ペン１による記入に対応する記入情報が、標識部２ｐにおいて切り離された箇所を挟んで隣接する２つのラベルのそれぞれに割り当てられたドットパターンの座標範囲内の座標点を含む場合に、変更情報を生成する。また、情報生成手段４４１は、変更情報として、傷病者の重症度が変わったことを示す情報（第１情報に相当する）、若しくは、標識部２ｐの一部の切り離しが間違いであったことを示す情報（第２情報に相当する）を生成する。具体的には、情報生成手段４４１は、電子ペン１によって標識部２ｐに記入された手書きストロークを文字認識することで得られた文字（数字及び記号も含むものとする）に基づいて、そのような情報を生成する。例えば、情報生成手段４４１は、文字認識により得られた文字が「回復」である場合には、傷病者の重症度が変わったことを示す情報を生成し、文字認識により得られた文字が「間違い」である場合には、標識部２ｐの一部の切り離しが間違いであったことを示す情報を生成する。
【００４９】
また、情報生成手段４４１は、電子ペン１によって標識部２ｐに記入がなされた日時を含む変更情報を生成する。１つの例では、情報生成手段４４１は、上記のような電子ペン１による標識部２ｐへの記入に対応する記入情報に含まれる時刻情報の日時を、電子ペン１によって標識部２ｐに記入がなされた日時として用いる。他の例では、標識部２ｐの切り離しを変更する際に電子ペン１で標識部２ｐに日時が記入された場合に、情報生成手段４４１は、電子ペン１で標識部２ｐに記入された手書きストロークを文字認識することで得られた日時を、電子ペン１によって標識部２ｐに記入がなされた日時として用いる。このような日時は、例えば、傷病者の回復を確認した日時や、標識部２ｐの一部の切り離しが間違いであったことを確認した日時として扱われる。なお、標識部２ｐに電子ペン１で日時が記入されたか否かによらずに、電子ペン１によって標識部２ｐに記入がなされた日時を変更情報に含めて良い。
【００５０】
以上のように情報生成手段４４１によって生成されたトリアージ記入情報は、記憶手段４５に記憶されると共に、コンピュータ装置５、６の要求に応じて、通信インターフェース４８を介してコンピュータ装置５、６に送信される。
【００５１】
なお、トリアージ記入情報に、傷病者を医療機関に収容するまでのステータス（搬送状況）の情報を含めても良い。その場合、情報生成手段４４１は、通信手段４７によって受信された記入情報に含まれるペンＩＤに基づいて、ステータスを設定する。具体的には、情報生成手段４４１は、記入情報が現場で使用される電子ペン１ａによって生成された情報である場合、つまり記入情報に含まれるペンＩＤが電子ペン１ａに対応するものである場合には、傷病者に対してトリアージが実施されたことを示す「トリアージ完了」といったステータスを設定する。また、情報生成手段４４１は、記入情報が搬送機関で使用される電子ペン１ｂによって生成された情報である場合、つまり記入情報に含まれるペンＩＤが電子ペン１ｂに対応するものである場合には、搬送機関により傷病者が搬送中であることを示す「搬送中」といったステータスを設定する。また、情報生成手段４４１は、記入情報が医療機関で使用される電子ペン１ｃによって生成された情報である場合、つまり記入情報に含まれるペンＩＤが電子ペン１ｃに対応するものである場合には、医療機関への傷病者の収容が完了したことを示す「収容完了」といったステータスを設定する。なお、上記のようなステータスを設定するに当たって、電子ペン１ａ、１ｂ、１ｃのそれぞれのペンＩＤと、ステータス（トリアージ完了、搬送中、収容完了）とを対応付けた情報を、予め記憶手段４５に記憶させておくと良い。
【００５２】
［変更情報の生成方法］
次に、図７を参照して、第１実施形態における変更情報の生成方法について、具体例を挙げて詳細に説明する。
【００５３】
まず、図７（ａ）に示すように、傷病者の症状が「I」の重症群に該当すると判断されたために、赤色ラベル２ｐ１を残して黄色ラベル２ｐ２及び緑色ラベル２ｐ３が標識部２ｐから切り離されたものとする。この後、傷病者が回復して、傷病者の症状が「I」の重症群に該当しなくなったものとする。その場合、トリアージの実施者は、図７（ａ）に示した標識部２ｐの切り離しを変更すべく、図７（ｂ）に示すように、切り離した黄色ラベル２ｐ２及び緑色ラベル２ｐ３をトリアージタグ２の本体に突き合わせた状態で、具体的には標識部２ｐにおいて切り離された箇所を挟んで隣接する赤色ラベル２ｐ１と黄色ラベル２ｐ２とを突き合わせた状態で、電子ペン１により標識部２ｐに手書きストロークＳｔ１を記入する。具体的には、トリアージの実施者は、赤色ラベル２ｐ１及び黄色ラベル２ｐ２の両方に跨る「回復 3/18.15:23」といった文字に対応する手書きストロークＳｔ１を電子ペン１で記入したものとする。
【００５４】
上記のような手書きストロークＳｔ１が電子ペン１で記入された場合、サーバ装置４の情報生成手段４４１は、通信手段４７によって受信された記入情報、及び記憶手段４５に記憶された座標定義情報に基づいて、当該手書きストロークＳｔ１が、標識部２ｐの２つのラベルに跨るものであるか否かを判定する。ここで、基本的には、電子ペン１によってトリアージ区分選択欄２ｍ又は標識部２ｐに記入（タップ）することで選択されたトリアージ区分と、標識部２ｐを切り離すことで選択されたトリアージ区分とは一致する。したがって、上記したトリアージ記入情報に含まれるトリアージ区分についての情報（トリアージ区分選択欄２ｍ又は標識部２ｐへの電子ペン１による記入（タップ）に対応する記入情報に基づいて生成される情報）から、情報生成手段４４１は、標識部２ｐにおいて切り離された箇所を挟んで隣接する２つのラベルを特定することができる。図７に示す例では、情報生成手段４４１は、赤色ラベル２ｐ１及び黄色ラベル２ｐ２を特定することができる。したがって、情報生成手段４４１は、手書きストロークＳｔ１が、赤色ラベル２ｐ１及び黄色ラベル２ｐ２に跨るものであるか否かを判定する。この場合、情報生成手段４４１は、記憶手段４５に記憶された、赤色ラベル２ｐ１及び黄色ラベル２ｐ２のそれぞれに割り当てられたドットパターンの座標範囲に基づいて、手書きストロークＳｔ１に対応する記入情報が、赤色ラベル２ｐ１に割り当てられたドットパターンの座標範囲内の座標点及び黄色ラベル２ｐ２に割り当てられたドットパターンの座標範囲内の座標点を含むものであるか否かを判定する。
【００５５】
上記のような判定により、情報生成手段４４１は、図７（ｂ）に示すような手書きストロークＳｔ１が、赤色ラベル２ｐ１及び黄色ラベル２ｐ２に跨るものであると判断する。この場合、情報生成手段４４１は、標識部２ｐの切り離しを変更するための記入が電子ペン１によってなされたものと判断する。そして、情報生成手段４４１は、電子ペン１によって標識部２ｐに記入された手書きストロークＳｔ１を文字認識することで、電子ペン１によって「回復」という文字と「3/18.15:23」という文字（詳しくは数字及び記号）とが記入されたことを認識する。この場合、情報生成手段４４１は、傷病者が回復することで重症度が変わったことを示す情報を、変更情報として生成する。また、情報生成手段４４１は、手書きストロークを文字認識することで得られた「3/18.15:23」の日時、又は電子ペン１による標識部２ｐへの記入に対応する記入情報に含まれる時刻情報の日時を、電子ペン１によって標識部２ｐに記入がなされた日時として変更情報に含める。このような日時は、傷病者の回復が確認された日時として扱われる。
【００５６】
以上のように生成された変更情報は、トリアージ記入情報に含められて、記憶手段４５に記憶されると共に、コンピュータ装置５、６の要求に応じて、通信インターフェース４８を介してコンピュータ装置５、６に送信される。
【００５７】
なお、図７では、電子ペン１で標識部２ｐに「回復」といった文字と日時とを記入する例を示したが、日時を記入せずに、「回復」といった文字のみを電子ペン１で標識部２ｐに記入しても良い。更に他の例では、「回復」といった文字を記入せずに、日時のみを電子ペン１で標識部２ｐに記入しても良い。
【００５８】
また、図７では、傷病者が回復することで重症度が変わった場合に標識部２ｐの切り離しを変更する例を示した。他の例では、間違って標識部２ｐを切り離した場合にも、同様にして、標識部２ｐの切り離しを変更することができる。その場合には、例えば、標識部２ｐにおいて切り離された箇所を挟んで隣接する２つのラベルに跨る「間違い」という文字を電子ペン１で記入すれば良い。情報生成手段４４１は、電子ペン１によって標識部２ｐに記入された手書きストロークを文字認識することで、電子ペン１によって「間違い」という文字が標識部２ｐに記入されたことを認識し、標識部２ｐの切り離しが間違いであったことを示す情報を変更情報として生成する。なお、間違って切り離した標識部２ｐの切り離しを変更する場合にも、電子ペン１で標識部２ｐに日時を記入しても良い。その場合、情報生成手段４４１は、電子ペン１で標識部２ｐに記入された手書きストロークを文字認識することで得られた日時、又は電子ペン１による標識部２ｐへの記入に対応する記入情報に含まれる時刻情報の日時を、電子ペン１によって標識部２ｐに記入がなされた日時として変更情報に含めると良い。当該日時は、標識部２ｐの切り離しが間違いであったことが確認された日時として扱われる。
【００５９】
また、上記では、標識部２ｐの切り離しを変更する場合に、電子ペン１で標識部２ｐに文字（「回復」や「間違い」など）を記入する例を示したが、これに限定はされない。他の例では、電子ペン１で標識部２ｐに文字を記入する代わりに、電子ペン１で標識部２ｐにチェック（言い換えると線分）のみを記入しても良い。具体的には、標識部２ｐにおいて切り離された箇所を挟んで隣接する２つのラベルに跨るチェックを記入すると良い。この場合、情報生成手段４４１は、標識部２ｐへの電子ペン１による記入に対応する記入情報に基づいて、当該２つのラベルに跨るチェックが電子ペン１で記入されたか否かを判定し、そのようなチェックが電子ペン１で記入されたと判定した場合に変更情報を生成する。なお、更に他の例では、電子ペン１で標識部２ｐにチェックを記入する場合に、「回復」や「間違い」などの文字及び／又は日時を、電子ペン１で更に標識部２ｐに記入しても良い。
【００６０】
［第１実施形態の作用・効果］
以上説明した第１実施形態によれば、標識部２ｐの一部が切り離されたトリアージタグ２の標識部２ｐへの電子ペン１による記入に対応する記入情報に基づいて、標識部２ｐの一部の切り離しについての変更を示す変更情報を適切に生成することができる。よって、標識部２ｐの一部の切り離しについての変更があったこと、具体的には傷病者の重症度が変わったことや標識部２ｐの切り離しが間違いであったことを、サーバ装置４において適切に管理することが可能となる。
【００６１】
また、標識部２ｐの一部の切り離しを変更する場合に、標識部２ｐに電子ペン１で文字やチェックなどを記入することで、現場では、標識部２ｐに記入された文字やチェックなどを確認することで、傷病者の重症度が変わったことや標識部２ｐの切り離しが間違いであったことを容易に把握することが可能となる。
【００６２】
また、第１実施形態では、切り離された標識部２ｐの一部に跨る手書きストロークが電子ペン１で記入された場合に変更情報を生成することで、トリアージタグ２の利用者が誤って電子ペン１で標識部２ｐに記入した場合に変更情報が生成されてしまうことを適切に抑制することができる。
【００６３】
＜第２実施形態＞
次に、第２実施形態について説明する。第２実施形態では、用いるトリアージタグの構成が第１実施形態と異なる。
【００６４】
以下では、第１実施形態と異なる構成について主に説明を行い、第１実施形態と同様の構成については適宜説明を省略する。つまり、特に説明しない機能や構成要素などについては、第１実施形態と同様であるものとする。
【００６５】
［トリアージタグ］
図８を参照して、第２実施形態に係るトリアージタグ２０について説明する。なお、第２実施形態に係るトリアージタグ２０は、第１実施形態に係るトリアージタグ２の代わりに、図１に示した救急医療支援システム１０に適用されるものである。
【００６６】
図８に示すように、第２実施形態に係るトリアージタグ２０には、トリアージタグ２０ごとに異なる識別番号が印刷された識別番号エリア２０ａと、傷病者の氏名を記入するための氏名記入欄２０ｂと、傷病者の性別を選択するための性別選択欄２０ｃと、傷病者の年齢を記入するための年齢記入欄２０ｅと、傷病者に対するトリアージを実施した月日（日付）及び時刻を記入するためのトリアージ実施月日・時刻記入欄２０ｇと、トリアージの実施者を記入するための実施者記入欄２０ｈと、搬送機関の名称を記入するための搬送機関名記入欄２０ｉと、搬送先の医療機関の名称を記入するための搬送先医療機関名記入欄２０ｊと、トリアージ区分を選択するためのトリアージ区分選択欄２０ｍと、電子ペン１によって生成された記入情報を送信するための送信ボックス２０ｎと、標識部２０ｐと、トリアージ区分を判定するための複数の判定項目がフローチャート形式にて記載された判定欄２０ｑと、が設けられている。
【００６７】
トリアージタグ２０には、略全面に、位置座標を示すアノト方式のドットパターン（コード化パターン）が印刷されている。ドットパターンは、赤外線を吸収するカーボンを含んだインキにより印刷され、文字や枠線などは、赤外域に吸収性を持たないインキにより印刷される。なお、トリアージタグ２０を区別するために、トリアージタグ２０ごとに異なる座標範囲のドットパターンが印刷されている。
【００６８】
送信ボックス２０ｎは、トリアージタグ２０に電子ペン１により記入された内容に対応する記入情報を、電子ペン１から携帯端末３を経由してサーバ装置４へ送信する処理を実行させるための指示が定義されたエリアである。例えば、送信ボックス２０ｎは、トリアージが実施された後に電子ペン１によってタップされる。なお、トリアージタグ２０が異なっても、送信ボックス２０ｎのドットパターンはトリアージタグ２０に共通して同じであっても良い。
【００６９】
第２実施形態に係るトリアージタグ２０では、トリアージ区分選択欄２０ｍに示されるように、重症群を示す「I」のトリアージ区分が、傷病者における異常の内容に応じて「Ａ」、「Ｂ」、「Ｃ」、「Ｄ」の区分に更に細かく分けられている。そして、第２実施形態に係るトリアージタグ２０では、標識部２０ｐは、「０」のトリアージ区分を示す黒色ラベル２０ｐ０、「II」のトリアージ区分を示す黄色ラベル２０ｐ２、及び「III」のトリアージ区分を示す緑色ラベル２０ｐ３の他に、「I」のトリアージ区分を更に細かく分けた「I(Ａ)」、「I(Ｂ)」、「I(Ｃ)」及び「I(Ｄ)」を示す赤色ラベル２０ｐ１ａ、２０ｐ１ｂ、２０ｐ１ｃ、２０ｐ１ｄを有する。なお、以下では、黒色ラベル２０ｐ０、赤色ラベル２０ｐ１ａ〜２０ｐ１ｄ、黄色ラベル２０ｐ２及び緑色ラベル２０ｐ３を区別しない場合には、色及び符号の表記を省略して、単に「ラベル」と表記することがある。
【００７０】
また、第２実施形態に係るトリアージタグ２０では、図９（ａ）に示すように、標識部２０ｐは、各ラベルにおける「０」、「I(Ａ)」、「I(Ｂ)」、「I(Ｃ)」、「I(Ｄ)」、「II」、「III」が印字された箇所を囲む周囲の一部分（符号２０１で示す破線参照）にミシン目が形成されており、当該周囲の他の部分（符号２０２で示す一点鎖線参照）にはミシン目が形成されていない。図９（ｂ）は、ミシン目が形成された部分２０１を切り離して、ミシン目が形成されていない部分２０２を折った状態にあるラベルを示している。この場合、ラベルにおいて符号２０３で示す部分が折れ曲がり、ラベルにおいて符号２０４で示す部分は折れ曲がらない。こうしてラベルの部分２０３が折れ曲がると、当該部分２０３に対応する部分が穴（孔）２０５になる。なお、図９では緑色ラベル２０ｐ３を一例として挙げている。
【００７１】
このようなトリアージタグ２０を用いた場合、トリアージの実施者は、判定欄２０ｑに記載されたフローチャートに従って判定を行うことで、傷病の状態が「０」、「I(Ａ)」、「I(Ｂ)」、「I(Ｃ)」、「I(Ｄ)」、「II」、「III」のいずれのトリアージ区分に該当するかを決定する。この場合、トリアージの実施者は、例えば判定欄２０ｑに印字された「はい」や「いいえ」の箇所に電子ペン１でチェックや丸などを記入する。そして、トリアージの実施者は、決定したトリアージ区分に該当する標識部２０ｐのラベルについて、ミシン目が形成された部分２０１を切り離して、ミシン目が形成されていない部分２０２で折り曲げる。つまり、標識部２０ｐのラベルの一部分を指で穴（孔）をあけることとなる。
【００７２】
［変更情報の生成方法］
次に、第２実施形態における変更情報の生成方法について説明する。
【００７３】
まず、第２実施形態において、サーバ装置４の情報生成手段４４１が行う処理の概要について説明する。第２実施形態では、情報生成手段４４１は、標識部２０ｐの一部（ラベル２０ｐ０、２０ｐ１ａ〜２０ｐ１ｄ、２０ｐ２、２０ｐ３のいずれかを意味する。以下同様とする。）が折り曲げられたトリアージタグ２０の標識部２０ｐへの電子ペン１による記入に対応する記入情報に基づいて、標識部２０ｐの一部の折り曲げについての変更を示す変更情報を生成する。この変更情報は、トリアージタグ２０の利用者からの、折り曲げた標識部２０ｐを元に戻したいという意図を反映した情報である。
【００７４】
具体的には、情報生成手段４４１は、折り曲げられた標識部２０ｐの一部に跨る手書きストロークが電子ペン１で記入された場合に、変更情報を生成する。詳しくは、情報生成手段４４１は、標識部２０ｐのラベルにおいて折り曲げられる部分２０３と折り曲げられない部分２０４と（図９参照）に跨る手書きストロークが電子ペン１で記入された場合に、変更情報を生成する。例えば、各ラベルにおいて折り曲げられる部分２０３及び折り曲げられない部分２０４のそれぞれに割り当てられたドットパターンの座標範囲を記憶手段４５に記憶させておき、情報生成手段４４１は、標識部２０ｐへの電子ペン１による記入に対応する記入情報が、ラベルにおいて折り曲げられる部分２０３及び折り曲げられない部分２０４のそれぞれに割り当てられたドットパターンの座標範囲内の座標点を含む場合に、変更情報を生成すると良い。
【００７５】
また、情報生成手段４４１は、上記した変更情報として、傷病者の重症度が変わったことを示す情報（第１情報に相当する）、若しくは、標識部２０ｐの折り曲げが間違いであったことを示す情報（第２情報に相当する）を生成する。具体的には、情報生成手段４４１は、電子ペン１によって標識部２０ｐに記入された手書きストロークを文字認識することで得られた文字に基づいて、そのような情報を生成する。例えば、情報生成手段４４１は、文字認識により得られた文字が「回復」である場合には、傷病者の重症度が変わったことを示す情報を生成し、文字認識により得られた文字が「間違い」である場合には、標識部２０ｐの一部の折り曲げが間違いであったことを示す情報を生成する。
【００７６】
また、情報生成手段４４１は、電子ペン１によって標識部２０ｐに記入がなされた日時を含む変更情報を生成する。１つの例では、情報生成手段４４１は、上記のような電子ペン１による標識部２０ｐへの記入に対応する記入情報に含まれる時刻情報の日時を、電子ペン１によって標識部２０ｐに記入がなされた日時として用いる。他の例では、標識部２０ｐの折り曲げを変更する際に電子ペン１で標識部２０ｐに日時が記入された場合に、情報生成手段４４１は、電子ペン１で標識部２０ｐに記入された手書きストロークを文字認識することで得られた日時を、電子ペン１によって標識部２０ｐに記入がなされた日時として用いる。このような日時は、例えば、傷病者の回復を確認した日時や、標識部２ｐの一部の折り曲げが間違いであったことを確認した日時として扱われる。なお、標識部２０ｐに電子ペン１で日時が記入されたか否かによらずに、電子ペン１によって標識部２０ｐに記入がなされた日時を変更情報に含めて良い。
【００７７】
以上のように情報生成手段４４１によって生成された変更情報は、トリアージ記入情報に含められて、記憶手段４５に記憶されると共に、コンピュータ装置５、６の要求に応じて、通信インターフェース４８を介してコンピュータ装置５、６に送信される。
【００７８】
なお、標識部２０ｐの折り曲げを変更するために電子ペン１で標識部２０ｐに記入する手書きストロークは、厳密に標識部２０ｐ内に記入されていなくても良く、その一部分が標識部２０ｐに記入されていれば良いものとする。つまり、一部分が標識部２０ｐに記入された手書きストローク（換言すると標識部２０ｐから一部分がはみ出した手書きストローク）も含むものとする。
【００７９】
次に、図１０を参照して、第２実施形態における変更情報の生成方法について、具体例を挙げて詳細に説明する。
【００８０】
まず、図１０（ａ）に示すように、傷病者の症状が「I(Ｂ)」のトリアージ区分に該当すると判断されたために、標識部２０ｐにおける赤色ラベル２０ｐ１ｂの部分２０３が折り曲げられたものとする。この後、傷病者が回復して、傷病者の症状が「I(Ｂ)」のトリアージ区分に該当しなくなったものとする。その場合、トリアージの実施者は、図１０（ａ）に示した標識部２０ｐの折り曲げを変更すべく、図１０（ｂ）に示すように、折り曲げた赤色ラベル２０ｐ１ｂの部分２０３を戻した上で、電子ペン１により赤色ラベル２０ｐ１ｂに手書きストロークＳｔ２（Ｓｔ２１、Ｓｔ２２）を記入する。具体的には、トリアージの実施者は、赤色ラベル２０ｐ１ｂにおいて折り曲げられる部分２０３と折り曲げられない部分２０４とに跨る手書きストロークＳｔ２を電子ペン１で記入したものとする。詳しくは、トリアージの実施者は、チェックに対応する手書きストロークＳｔ２１と「回復」といった文字に対応する手書きストロークＳｔ２２とを電子ペン１で記入したものとする。
【００８１】
上記のような手書きストロークＳｔ２が電子ペン１で記入された場合、サーバ装置４の情報生成手段４４１は、通信手段４７によって受信された記入情報、及び記憶手段４５に記憶された座標定義情報に基づいて、当該手書きストロークＳｔ２が、標識部２０ｐのラベルにおいて折り曲げられる部分２０３と折り曲げられない部分２０４とに跨るものであるか否かを判定する。ここで、基本的には、電子ペン１によってトリアージ区分選択欄２０ｍ又は標識部２０ｐに記入（タップ）することで選択されたトリアージ区分と、標識部２０ｐのラベルを折り曲げることで選択されたトリアージ区分とは一致する。したがって、トリアージ記入情報に含まれるトリアージ区分についての情報（トリアージ区分選択欄２０ｍ又は標識部２０ｐへの電子ペン１による記入（タップ）に対応する記入情報に基づいて生成される情報）から、情報生成手段４４１は、標識部２０ｐにおいて折り曲げられたラベルを特定することができる。図１０に示す例では、情報生成手段４４１は、赤色ラベル２０ｐ１ｂが折り曲げられたと特定することができる。したがって、情報生成手段４４１は、手書きストロークＳｔ２が、標識部２０ｐの赤色ラベル２０ｐ１ｂにおける折り曲げられる部分２０３と折り曲げられない部分２０４とに跨るものであるか否かを判定する。この場合、情報生成手段４４１は、例えば、記憶手段４５に記憶された、赤色ラベル２０ｐ１ｂにおける折り曲げられる部分２０３及び折り曲げられない部分２０４のそれぞれに割り当てられたドットパターンの座標範囲に基づいて、手書きストロークＳｔ２に対応する記入情報が、折り曲げられる部分２０３に割り当てられたドットパターンの座標範囲内の座標点及び折り曲げられない部分２０４に割り当てられたドットパターンの座標範囲内の座標点を含むものであるか否かを判定する。
【００８２】
上記のような判定により、情報生成手段４４１は、図１０（ｂ）に示すような手書きストロークＳｔ２が、標識部２０ｐの赤色ラベル２０ｐ１ｂにおける折り曲げられる部分２０３と折り曲げられない部分２０４とに跨るものであると判断する。この場合、情報生成手段４４１は、赤色ラベル２０ｐ１ｂの折り曲げを変更するための記入が電子ペン１によってなされたものと判断する。そして、情報生成手段４４１は、電子ペン１によって赤色ラベル２０ｐ１ｂに記入された手書きストロークＳｔ２を分析することで、手書きストロークＳｔ２の一部の手書きストロークＳｔ２１がチェックであり、手書きストロークＳｔ２の他の一部の手書きストロークＳｔ２２が「回復」という文字であると認識する。この場合、情報生成手段４４１は、傷病者が回復することで重症度が変わったことを示す情報を、変更情報として生成する。
【００８３】
以上のように生成された変更情報は、トリアージ記入情報に含められて、記憶手段４５に記憶されると共に、コンピュータ装置５、６の要求に応じて、通信インターフェース４８を介してコンピュータ装置５、６に送信される。
【００８４】
なお、手書きストロークＳｔ２の一部の手書きストロークＳｔ２２（「回復」といった文字に対応する手書きストローク）が赤色ラベル２０ｐ１ｂにおいて折り曲げられる部分２０３と折り曲げられない部分２０４とに跨っていないが、手書きストロークＳｔ２の他の一部の手書きストロークＳｔ２１（チェックに対応する手書きストローク）が折り曲げられる部分２０３と折り曲げられない部分２０４とに跨っているため、そのような手書きストロークＳｔ２は、標識部２０ｐの折り曲げを変更するための電子ペン１による記入と判断される。また、「回復」といった文字に対応する手書きストロークＳｔ２２が赤色ラベル２０ｐ１ｂからはみ出しているが、当該手書きストロークＳｔ２２の一部分が赤色ラベル２０ｐ１ｂに重なっているため、変更情報を生成するための文字認識の対象とされる。
【００８５】
また、図１０では、電子ペン１で標識部２０ｐにチェックと「回復」といった文字とを記入する例を示したが、これらに加えて、電子ペン１で標識部２０ｐに日時を記入しても良い。その場合、情報生成手段４４１は、電子ペン１で標識部２０ｐに記入された手書きストロークを文字認識することで得られた日時、又は電子ペン１による標識部２０ｐへの記入に対応する記入情報に含まれる時刻情報の日時を、電子ペン１によって標識部２０ｐに記入がなされた日時として変更情報に含める。当該日時は、傷病者の回復が確認された日時として扱われる。
【００８６】
また、図１０では、電子ペン１で標識部２０ｐにチェックと「回復」といった文字とを記入する例を示したが、「回復」といった文字を記入せずに、チェックのみを電子ペン１で標識部２０ｐに記入しても良い。他の例では、チェックを記入せずに、「回復」といった文字のみを電子ペン１で標識部２０ｐに記入しても良い。更に他の例では、日時のみ、若しくは日時とチェック又は「回復」といった文字とを電子ペン１で標識部２０ｐに記入しても良い。
【００８７】
また、図１０では、傷病者が回復することで重症度が変わった場合に標識部２０ｐの折り曲げを変更する例を示した。他の例では、間違って標識部２０ｐを折り曲げた場合にも、同様にして、標識部２０ｐの折り曲げを変更することができる。その場合には、例えば、標識部２０ｐに「間違い」という文字を電子ペン１で記入すれば良い。情報生成手段４４１は、電子ペン１によって標識部２０ｐに記入された手書きストロークを文字認識することで、電子ペン１によって「間違い」という文字が標識部２０ｐに記入されたことを認識し、標識部２０ｐの折り曲げが間違いであったことを示す情報を変更情報として生成する。なお、間違って折り曲げた標識部２０ｐの折り曲げを変更する場合にも、電子ペン１で標識部２０ｐに日時を記入しても良い。そして、情報生成手段４４１は、電子ペン１で標識部２０ｐに記入された手書きストロークを文字認識することで得られた日時、又は電子ペン１による標識部２０ｐへの記入に対応する記入情報に含まれる時刻情報の日時を、電子ペン１によって標識部２０ｐに記入がなされた日時として変更情報に含めると良い。当該日時は、標識部２０ｐの折り曲げが間違いであったことが確認された日時として扱われる。
【００８８】
［第２実施形態の作用・効果］
以上説明した第２実施形態によれば、標識部２０ｐの一部が折り曲げられたトリアージタグ２０の標識部２０ｐへの電子ペン１による記入に対応する記入情報に基づいて、標識部２０ｐの一部の折り曲げについての変更を示す変更情報を適切に生成することができる。よって、標識部２０ｐの一部の折り曲げについての変更があったこと、具体的には傷病者の重症度が変わったことや標識部２０ｐの切り離しが間違いであったことを、サーバ装置４において適切に管理することが可能となる。
【００８９】
また、標識部２０ｐの一部の切り離しを変更する場合に、標識部２０ｐに電子ペン１で文字やチェックなどを記入することで、現場では、標識部２０ｐに記入された文字やチェックなどを確認することで、傷病者の重症度が変わったことや標識部２０ｐの切り離しが間違いであったことを容易に把握することが可能となる。
【００９０】
また、第２実施形態では、標識部２０ｐのラベルにおいて折り曲げられる部分２０３と折り曲げられない部分２０４とに跨る手書きストロークが電子ペン１で記入された場合に変更情報を生成することで、トリアージタグ２の利用者が誤って電子ペン１で標識部２０ｐに記入した場合に変更情報が生成されてしまうことを適切に抑制することができる。
【００９１】
［変形例］
以下では、上記した実施形態の変形例について説明する。なお、下記の変形例は、任意に組み合わせて実施形態に適用することができる。
【００９２】
（変形例１）
上記した実施形態では、切り離された又は折り曲げられた標識部２ｐ、２０ｐの一部に跨る手書きストロークが電子ペン１で記入された場合に変更情報を生成していたが、標識部２ｐ、２０ｐの一部に跨らないような手書きストロークが電子ペン１で記入された場合に変更情報を生成しても良い。つまり、電子ペン１で標識部２ｐ、２０ｐに何らかの記入がなされた場合に、変更情報を生成することとしても良い。また、電子ペン１による標識部２ｐ、２０ｐへの手書きストロークの記入に限定されず、電子ペン１で標識部２ｐ、２０ｐにタップされた場合にも、変更情報を生成しても良い。
【００９３】
（変形例２）
上記した実施形態では、本発明をサーバ装置４に適用していたが、本発明の適用はサーバ装置４に限定はされない。本発明は、一般的なコンピュータ装置にも適用することができる。例えば、本発明は、電子ペン１が生成した記入情報を携帯端末３などを介さずに受信して処理する、端末装置としてのコンピュータ装置にも適用可能である。
【００９４】
（変形例３）
上記では、電子ペン１、ドットパターン（コード化パターン）、記入情報に、アノト方式を用いていたが、アノト方式を用いることに限定はされない。
【符号の説明】
【００９５】
１（１ａ、１ｂ、１ｃ）…電子ペン
２、２０…トリアージタグ
３（３ａ、３ｂ、３ｃ）…携帯端末
４…サーバ装置
５、６…コンピュータ装置
１０…救急医療支援システム
４４…処理手段
４５…記憶手段
４７…通信手段
４８…通信インターフェース
【図３】
2014222469.tif 000003
【図４】
2014222469.tif 000004
【図５】
2014222469.tif 000005
【図６】
2014222469.tif 000006
【図９】
2014222469.tif 000007
【図１】
2014222469.tif 000008
【図２】
2014222469.tif 000009
【図７】
2014222469.tif 000010
【図８】
2014222469.tif 000011
【図１０】
2014222469.tif 000012